(57)【要約】【課題】ユーザーのスキルの違いにより、補正作業の実行が難しく感じられたり、物足りなく感じられる。また、個々人の好みを簡単かつ確実に色補正に反映できない。【解決手段】以下の処理機能を有する設定画面表示制御装置を提案する。すなわち、色補正量の調整に伴う補正効果の確認用に、補正色別に設定した被写体グループを１つの画面内に複数配置したサンプル画面を画面上に表示するサンプル画面表示制御部と、色補正量の設定入力欄を画面上に表示する設定入力欄表示制御部と、色補正量の設定入力欄と対応する被写体グループの対応関係を画面上に明示的に表示する対応関係明示部を有する設定画面表示制御装置を提案する。【選択図】図１１
2007306259.tif 000002
【特許請求の範囲】
【請求項１】
色補正量の調整に伴う補正効果の確認用に、補正色別に設定した被写体グループを１つの画面内に複数配置したサンプル画面を画面上に表示するサンプル画面表示制御部と、
色補正量の設定入力欄を画面上に表示する設定入力欄表示制御部と、
前記色補正量の設定入力欄と対応する被写体グループの対応関係を画面上に明示的に表示する対応関係明示部と
を有することを特徴とする設定画面表示制御装置。
【請求項２】
請求項１に記載の設定画面表示制御装置において、
前記サンプル画面は、ユーザーが任意に選択した被写体画像上に、画像認識技術を利用して補正色別に被写体グループを設定した画面である
ことを特徴とする設定画面表示制御装置。
【請求項３】
請求項１に記載の設定画面表示制御装置において、
前記サンプル画面は、ユーザーが任意に選択した被写体画像上に、補正色別の被写体グループをユーザー自身が事前に設定した画面である
ことを特徴とする設定画面表示制御装置。
【請求項４】
請求項１に記載の設定画面表示制御装置において、
前記被写体グループの一つは人物である
ことを特徴とする設定画面表示制御装置。
【請求項５】
請求項１に記載の設定画面表示制御装置において、
前記被写体グループの一つは青色系の被写体である
ことを特徴とする設定画面表示制御装置。
【請求項６】
請求項１に記載の設定画面表示制御装置において、
前記被写体グループの一つは緑色系の被写体である
ことを特徴とする設定画面表示制御装置。
【請求項７】
請求項１に記載の設定画面表示制御装置において、
前記被写体グループの一つは白色系の被写体である
ことを特徴とする設定画面表示制御装置。
【請求項８】
請求項１に記載の設定画面表示制御装置において、
前記被写体グループの一つは黒色系の被写体である
ことを特徴とする設定画面表示制御装置。
【請求項９】
請求項１に記載の設定画面表示制御装置において、
前記サンプル画像は、昼間用と夜景用の２種類を用意する
ことを特徴とする設定画面表示制御装置。
【請求項１０】
請求項１に記載の設定画面表示制御装置は、
確定した色補正量を適用したサンプル画面の画像データを記憶媒体上に保存する
ことを特徴とする設定画面表示制御装置。
【請求項１１】
色補正量の調整に伴う補正効果の確認用に、補正色別に設定した被写体グループを１つの画面内に複数配置したサンプル画面を、ネットワーク経由で接続されたクライアント端末の画面上に表示するサンプル画面表示制御部と、
色補正量の設定入力欄を、前記クライアント端末の画面上に表示する設定入力欄表示制御部と、
前記色補正量の設定入力欄と対応する被写体グループの対応関係を、前記クライアント端末の画面上に明示的に表示する対応関係明示部と
を有することを特徴とするサーバー装置。
【請求項１２】
色補正量の調整に伴う補正効果の確認用に、補正色別に設定した被写体グループを１つの画面内に複数配置したサンプル画面を画面上に表示するサンプル画面表示制御部と、
色補正量の設定入力欄を画面上に表示する設定入力欄表示制御部と、
前記色補正量の設定入力欄と対応する被写体グループの対応関係を画面上に明示的に表示する対応関係明示部と、
確定した色補正量を保存する補正情報記憶領域と、
前記補正情報記憶部より読みだした色補正量に基づいて、画像データを色補正する画像補正部と
を有することを特徴とする画像処理システム。
【請求項１３】
表示デバイスと、
色補正量の調整に伴う補正効果の確認用に、補正色別に設定した被写体グループを１つの画面内に複数配置したサンプル画面を画面上に表示するサンプル画面表示制御部と、
色補正量の設定入力欄を画面上に表示する設定入力欄表示制御部と、
前記色補正量の設定入力欄と対応する被写体グループの対応関係を画面上に明示的に表示する対応関係明示部と、
確定した色補正量を保存する補正情報記憶領域と、
前記補正情報記憶部より読みだした色補正量に基づいて、画像データを色補正する画像補正部と、
色補正後の画像データに基づいて、被記録媒体上に画像を形成する画像形成デバイスと
を有することを特徴とする印刷装置。
【請求項１４】
撮像ユニットと、
表示デバイスと、
色補正量の調整に伴う補正効果の確認用に、補正色別に設定した被写体グループを１つの画面内に複数配置したサンプル画面を画面上に表示するサンプル画面表示制御部と、
色補正量の設定入力欄を画面上に表示する設定入力欄表示制御部と、
前記色補正量の設定入力欄と対応する被写体グループの対応関係を画面上に明示的に表示する対応関係明示部と、
確定した色補正量を保存する補正情報記憶領域と、
前記補正情報記憶部より読みだした色補正量に基づいて、撮像された画像データを色補正する画像補正部と
を有することを特徴とする撮像装置。
【請求項１５】
撮像ユニットと、
表示デバイスと、
色補正量の調整に伴う補正効果の確認用に、補正色別に設定した被写体グループを１つの画面内に複数配置したサンプル画面を画面上に表示するサンプル画面表示制御部と、
色補正量の設定入力欄を画面上に表示する設定入力欄表示制御部と、
前記色補正量の設定入力欄と対応する被写体グループの対応関係を画面上に明示的に表示する対応関係明示部と、
確定した色補正量を、撮像された画像データの付属データとして保存する補正情報記憶領域と
を有することを特徴とする撮像装置。
【請求項１６】
表示デバイスと、
色補正量の調整に伴う補正効果の確認用に、補正色別に設定した被写体グループを１つの画面内に複数配置したサンプル画面を画面上に表示するサンプル画面表示制御部と、
色補正量の設定入力欄を画面上に表示する設定入力欄表示制御部と、
前記色補正量の設定入力欄と対応する被写体グループの対応関係を画面上に明示的に表示する対応関係明示部と、
確定した色補正量を保存する補正情報記憶領域と、
前記補正情報記憶部より読みだした色補正量に基づいて、画像データを色補正する画像補正部と
を有することを特徴とする表示装置。
【請求項１７】
色補正量の調整に伴う補正効果の確認用に、補正色別に設定した被写体グループを１つの画面内に複数配置したサンプル画面を画面上に表示する処理と、
色補正量の設定入力欄を画面上に表示する処理と、
前記色補正量の設定入力欄と対応する被写体グループの対応関係を画面上に明示的に表示する処理と
を有することを特徴とする設定画面表示制御方法。
【請求項１８】
コンピュータに、
色補正量の調整に伴う補正効果の確認用に、補正色別に設定した被写体グループを１つの画面内に複数配置したサンプル画面を画面上に表示する処理と、
色補正量の設定入力欄を画面上に表示する処理と、
前記色補正量の設定入力欄と対応する被写体グループの対応関係を画面上に明示的に表示する処理と
を実行させることを特徴とするプログラム。
【請求項１９】
色補正量の調整に伴う補正効果の確認用に、補正色別に設定した被写体グループを１つの画面内に複数配置したサンプル画面データと、
前記色補正量の設定入力欄と対応する被写体グループとを対応付ける連携データと
を有することを特徴とするデータ構造。
【発明の詳細な説明】
【技術分野】
【０００１】
この明細書で説明する発明は、ユーザーによる画質設定を簡易化する技術に関する。
なお、発明者らが提案する発明は、設定画面表示制御装置、サーバー装置、画像処理システム、印刷装置、撮像装置、表示装置、設定画面表示制御方法、プログラム及びデータ構造としての側面を有する。
【背景技術】
【０００２】
近年、デジタルカメラにより撮影された画像をユーザー自らがプリントアウトする機会が増えている。例えば、店頭に設置されるセルフ式の印刷装置（いわゆる「プリントキオスク端末」）やユーザー自身が所有する又は管理するプリントシステム等を用いて画像を印刷する機会が増えている。
【０００３】
このため、セルフ印刷を想定したこの種の印刷システムには、ユーザー自身による印刷作業を補助するための仕組みが搭載されている。例えば画質自動補正機能が搭載されている。この画質自動補正機能は、見栄えの良い印刷画像を得るために用意されている。
【０００４】
ところで、この画質自動補正機能で使用する補正量は、統計的に最も多くのユーザーに好まれる平均的値に予め設定されることが多い。その理由は、設定操作の煩雑さを避けるためであり、幅広いユーザーと多種多様な画像印刷に同時に対応可能とするためである。
【０００５】
しかし、補正量の適正値は、個人の好みや画像データの内容によっても異なる。
従って、統計的に定めた平均的値による補正は、無難な品質の印刷結果を得ることができたとしても、ユーザーの好みや個々の画像データの内容に最も適した印刷結果を期待することはできない。
【０００６】
このため、既存の画像処理機能には、ユーザー個人の好みを反映するための機能も別途用意されている。例えば、任意の色や領域を指定して、個別に色調を調整できる仕組みが用意されている。しかし、既存の補正技術は自由度が高すぎ、所望の補正結果に辿り付くことが困難である。
【０００７】
そこで、予め用意された複数種類のカラープロファイルの中から最適なカラープロファイルを選択する手法により、明るさ、色合い、コントラスト、シャープネス等を補正できる機能を搭載する画像形成装置が特許文献１に開示されている。
【特許文献１】特開２００４−２３４２５１号公報
【発明の開示】
【発明が解決しようとする課題】
【０００８】
しかし、特許文献１に示す技術は、年齢や住所といった個人情報を予め登録する煩雑さに加え、明るさ、色合い、コントラスト、シャープネス等といった補正項目に基づく補正作業がユーザーのスキルに合致しない問題があった。すなわち、専門知識を有しないユーザーには不親切である一方で、専門知識を有するユーザーには大ざっぱすぎる問題である。
【０００９】
また、ユーザーによる印刷結果の状態を入力して蓄積し、画像形成時の制御パラメータに随時反映させる仕組みが特許文献２に開示されている。
しかし、ここでの制御パラメータも結局は多くのユーザーに好まれる平均的値に過ぎず、個々人の好みや画像データの内容に最適化された補正値とはならない。また、ここでの制御パラメータは多くのユーザーの平均的値であるがゆえに、個々人のユーザーにとっては自身の好みが補正後の画像にどのように反映されたかを確認できない問題がある。
【特許文献２】特開２００５−２６７４８５号公報
【課題を解決するための手段】
【００１０】
そこで、発明者は、以下の処理機能を有する設定画面表示制御装置を提案する。
（ａ）色補正量の調整に伴う補正効果の確認用に、補正色別に設定した被写体グループを１つの画面内に複数配置したサンプル画面を画面上に表示するサンプル画面表示制御部
（ｂ）色補正量の設定入力欄を画面上に表示する設定入力欄表示制御部
（ｃ）色補正量の設定入力欄と対応する被写体グループの対応関係を画面上に明示的に表示する対応関係明示部
【発明の効果】
【００１１】
発明者らの提案する手法を用いれば、スキルの違いによらず簡単かつ確実に適切な補正量の設定入力画可能な設定画面（ユーザーインターフェース）を提供することができる。
【発明を実施するための最良の形態】
【００１２】
以下、発明に係る設定画面の表示制御技術について説明する。
なお、本明細書で特に図示又は記載されない部分には、当該技術分野の周知又は公知技術を適用する。
また以下に説明する形態例は、発明の一つの形態例であって、これらに限定されるものではない。
【００１３】
（Ａ）印刷システムへの応用例
この形態例では、発明に係る設定画面の表示機能を印刷システムに搭載する場合について説明する。なお、ここでの印刷システムは、ユーザーインターフェース画面の表示が可能な表示デバイスを搭載するものとする。
【００１４】
例えばプリントキオスク端末、オフィスや家庭向けの印刷装置、医療機関で使用する印刷装置、衣類の製造に使用する印刷装置、スキャナを搭載する複合機その他であって表示デバイスを装置本体に搭載するものを想定する。
【００１５】
なお、被記録媒体上に画像を形成する画像形成デバイスは任意であり、応用分野や製品毎に適切な画像形成デバイスを使用する。例えば、インク滴の吐出により画像を形成する印刷ヘッドとその機構、レーザー光の照射により感光体上に再現した画像（トナー）を被記録媒体上に転写する印刷機構、固体インクの昇華により被記録媒体上に画像を形成する昇華型の印刷ヘッドとその機構を使用することができる。
【００１６】
（Ａ−１）ハードウェア構成
（ａ）概略構成
図１に、この形態例で使用する印刷システム１のハードウェア構成の概略を示す。図１は、印刷システムの概念図であり、基本的な構成要素だけを表している。
この印刷システム１は、画像処理モジュール３、タッチパネル式ディスプレイ装置５、ハードディスク装置７及び画像形成デバイス９で構成する。
【００１７】
画像処理モジュール３は、システム全体の制御、画像の印刷に必要な各種の画像処理及びユーザーインターフェースの表示処理を実行する処理デバイスとして機能する。
画像処理には、ＲＧＢデータのＣＭＹＫデータへの変換処理、ガンマ変換や色調整その他の画質補正処理が含まれる。
【００１８】
また、ユーザーインターフェースの表示処理には、画質の補正内容を規定する補正量の設定を受け付ける画面、印刷画像の選択を受け付ける画面、印刷枚数の選択を受け付ける画面その他の画面が含まれる。
【００１９】
タッチパネル式ディスプレイ装置５は、指や専用のペンの接触（タッチ）位置を検知できるセンサー素子を透明スクリーンで被覆した接触型入力部を表示画面の表面に配置した複合型の表示デバイスである。すなわち、入力部と表示デバイスの両方を一体化したデバイスである。勿論、入力部と表示デバイスは、必ずしも一体構造である必要はない。例えば、入力部（ボタンやスイッチ等）と表示デバイスとはそれぞれ独立に配置されていても良い。
【００２０】
ハードディスク装置７は、画像データや補正量等の記憶領域として用いられる記憶デバイスである。この形態例の場合、ハードディスク装置７には、補正前の画像データ、補正後の画像データ、ユーザーが設定画面を通じて設定した補正量その他が格納される。
なお、ハードディスク装置７は一例であり、磁気記憶装置以外の記憶装置を利用することもできる。
【００２１】
例えば半導体記憶装置、データの記録や再生に光を使用する光学式の記憶装置を適用できる。また、ここでの記憶装置は、内蔵型だけでなく、外付け型でも良い。また、着脱可能な可搬型の記憶装置でも良い。また、ここでの記憶装置は、インターネットその他のネットワーク上に配置されていても良い。
【００２２】
画像形成デバイス９は、被記録媒体上に画像を形成するデバイスである。前述したように、各種の画像形成デバイスを用いることができる。この形態例では、主にプリントキオスクを想定し、画像形成デバイス９を昇華型の印刷ヘッドとその機構で構成する。
【００２３】
（ｂ）詳細構成
図２に、印刷システム１の詳細構成を示す。
この形態例の場合、画像処理モジュール３は、ＣＰＵ（Central Processing Unit）３１、ＲＯＭ（Read Only Memory）３２、ＲＡＭ（Random Access
Memory ）３３、インターフェース部３４、復号化部３５、データ変換部３６、画像処理部３７で構成する。
【００２４】
ＣＰＵ３１、ＲＯＭ３２及びＲＡＭ３３は、いわゆるコンピュータを構成する。ＣＰＵ３１は、ＲＯＭ３２に記憶されたプログラムに記述された処理を実行し、システム全体の動作を制御する。ここでのプログラムには、画像補正の際に使用する補正量の設定画面の表示プログラムも含まれる。なお、ＲＡＭ３３は、一時的にプログラムや画像データを記憶する作業用の記憶領域である。
【００２５】
インターフェース部３４は、外部の記憶媒体から画像データを取り込むために用いられる。実際には、記憶媒体の種類や規格に応じたインターフェースが使用される。なお、このインターフェース部３４は、インターネットその他のネットワーク経由で画像データを受信する機能にも対応する。
【００２６】
復号化部３５は、圧縮状態にある画像データを非圧縮状態の画像データに復号化する処理デバイスである。一般に、画像データはデータサイズが大きいため、記憶時や送信時に圧縮符号化される。そこで、復号化部３５は、圧縮状態にある画像データを非圧縮状態の画像データに復号化する信号処理を実行する。
【００２７】
復号化部３５は、例えばＪＰＥＧ（Joint Photographic Experts Group）フォーマットで圧縮符号化された画像データの解凍処理を実行する。なお、画像データが非圧縮データである場合、復号化部３５は取り込んだ画像データをそのままデータ変換部３６に出力する。
【００２８】
データ変換部３６は、画像データを原色データ（ＲＧＢデータ）形式に変換する処理と画像サイズの変換処理を実行する処理デバイスとして機能する。原色データ形式への変換後の画像データは、ＲＡＭ３３に格納される。
【００２９】
なお、画像データが圧縮画像データであった場合、データ変換部３６は、画像データを輝度（Ｙ）データと色差（Ｃｂ、Ｃｒ）データで与えられる画像データ形式に変換する処理を実行し、その後、この画像データを原色データ（ＲＧＢデータ）形式に変換する処理と画像サイズを変換する処理とを実行する。
【００３０】
画像処理部３７は、画像の印刷用に、原色データ（ＲＧＢデータ）形式の画像データを補色データ（Ｙ（イエロー）、Ｍ（マゼンタ）、Ｃ（シアン）、Ｋ（ブラック））形式の画像データに色変換する処理デバイスとして機能する。この画像処理部３７は、事前に設定された補正量に基づく画像データの自動補正処理に加え、ガンマ変換処理や誤差拡散処理も実行する。
【００３１】
（Ａ−２）インターフェース画面の表示機能
図３に、補正量の設定用に発明者が提案するインターフェース画面の表示機能を実現する処理機能の構成を示す。以下、この明細書では、この機能を「設定画面表示制御機能」という。
【００３２】
設定画面表示制御機能１０１は、主に３つのサブ機能で構成される。サンプル画面表示制御機能１０３と、設定入力欄表示制御機能１０５と、対応関係明示機能１０７とで構成される。
【００３３】
サンプル画面表示制御機能１０３は、色補正量の調整に伴う補正効果の確認用に、補正色別に設定した被写体グループを１つの画面内に複数配置したサンプル画面を画面上に表示する機能である。
【００３４】
図４に、サンプル画面２０１の一例を示す。このサンプル画面は、ユーザーのスキルに寄らず、画像補正の内容と補正の効果を容易に確認できるように、メーカーやサービスの提供者等が事前に用意する画面である。もっとも、後述するようにユーザーが任意に選択した画面を用いることも可能である。
【００３５】
この形態例では、図４に示すサンプル画面２０１を使用する。サンプル画面２０１は、例えばＲＯＭ３２に格納されている。この形態例の場合、ユーザーの好みが現れ易い５つの色調の確認が容易な被写体グループで構成されるサンプル画面２０１を使用する。すなわち、人の顔色（肌色）、青色、緑色、白色（灰色）、黒の５色について色調の確認が容易な被写体グループで構成されるサンプル画面２０１を使用する。
【００３６】
この観点に基づいて、サンプル画面２０１には、人の顔（肌色）２０３、空（青色）２０５、海（青色）２０７、木の葉（緑色）２０９、芝生（緑色）２１１、雲（白色）２１３、シャツ（白色）２１５、影（黒色）２１７が１つの画面内に配置されている。
１つの画面内にこれら５色に対応する被写体グループが配置されることで、１つの画面内で画像処理に必要な全ての補正量を設定することができる。
【００３７】
設定入力欄表示制御機能１０５は、色補正量の設定入力欄を画面上に表示する機能である。補正量の決定作業は、補正量の調整動作と補正効果の確認を同一画面上で実現できることが作業効率の点でも望ましい。
【００３８】
対応関係明示機能１０７は、色補正量の設定入力欄と対応する被写体グループの対応関係を画面上に明示的に表示する機能である。この機能の存在により、補正量の調整作業と補正効果の確認領域との関係が明確化される。
【００３９】
なお、被写体グループの領域情報と設定入力欄とを対応付ける領域連携データは、ＲＯＭ３２に保存されているものとする。図５に、データ構造の一例を示す。図５に示すデータは、サンプル画像データ、被写体領域データ、領域連携データで構成される。対応関係明示機能１０７は、この「被写体領域データ」と「領域連携データ」を用いて対応関係の明示機能を実現する。
【００４０】
この形態例の場合、対応関係の明示は、この種の対応関係が登録されている被写体グループが画面上で選択された場合、又は、色補正量の調整に使用する設定入力欄が画面上で選択された場合に実行される。
【００４１】
この形態例の場合、被写体グループと設定入力欄の対応関係は、これらを連結する太線の表示により実現する。
図６〜図１０に、被写体グループと設定入力欄の対応関係の表示例を補正色別に示す。
【００４２】
なお、図６〜図１０に示すように、この形態例では、被写体グループの外縁と設定入力欄の外縁も太線で強調表示することにより対応関係を明確にする。被写体グループの領域外縁が太線で示されることにより、補正量の調整とその補正効果の確認領域との関係が明確に対応付けられる。
【００４３】
図６は、人の顔（肌色）を好みの色調に補正する場合に用いられる表示画面例である。なお、設定入力欄の調整項目は必要最小限の項目のみとし、調整作業もスライダーボタンの調整のみとする。また、調整項目もより直感的な表現を採用する。この形態例の場合、顔色（肌色）の調整項目には、「色を濃くするか薄くするか」、「黄色を強くするか赤色を強くするか」、「シャープネスを強くするか弱くするか」の３項目だけを用意する。
【００４４】
図７は、空や海に代表される青色系の色調を好みの色調に補正する場合に用いられる表示画面例である。この形態例の場合、青色の調整項目には、「色を濃くするか薄くするか」、「青色を強くするか緑色を強くするか」の２項目だけを用意する。
図８は、木の葉や芝生に代表される緑色系の色調を好みの色調に補正する場合に用いられる表示画面例である。この形態例の場合、緑色の調整項目には、「色を濃くするか薄くするか」、「緑色を強くするか黄色を強くするか」の２項目だけを用意する。
【００４５】
図９は、雲やシャツに代表される白色（灰色）系の色調を好みの色調に補正する場合に用いられる表示画面例である。この形態例の場合、白色（灰色）の調整項目には、「白色を濃くするか薄くするか（白を飛ばすか）」、「青色（寒色）を強くするか黄色（暖色）を強くするか」の２項目だけを用意する。
図１０は、夜景や影に代表される黒色系の色調を好みの色調に補正する場合に用いられる表示画面例である。この形態例の場合、黒色の調整項目には、「色を濃くするか（黒をつぶすか）薄くするか」、「青色（寒色）を強くするか黄色（暖色）を強くするか」の２項目だけを用意する。
【００４６】
なお、いずれの設定入力欄にもプレビュー表示のオン機能とオフ機能の選択アイコンを配置する。因みに、プレビュー表示がオンの場合、調整前の画像と調整後の画像が対比的に表示される。
図１１に、実際に使用するユーザーインターフェース画面の表示例を示す。
【００４７】
（Ａ−３）設定画面を用いた補正量の調整動作
以下、設定画面を用いた補正量の調整動作を説明する。
図１２に、補正処理全体の処理手順を示す。まず最初に、補正量の標準設定動作が実行される（Ｓ１）。ここでの標準設定動作とは、前述したサンプル画面２０１を用いた補正量の調整動作を意味する。
【００４８】
図１３に、補正量の標準設定動作で実行される処理手順の一例を示す。図１３に示すように、補正量の設定は、顔色の好みの設定（Ｓ１１）、青色の好みの設定（Ｓ１２）、緑色の好みの設定（Ｓ１３）、白色（グレー）の好みの設定（Ｓ１４）、黒色の好みの設定（Ｓ１５）が順に実行される。もっとも、設定の順番はユーザーが変更しても良いし、その一部だけを実行しても良い。
【００４９】
前述したように、ここでの補正量の設定は、設定入力欄の調整項目に対応するスライダーボタンの移動と、スライダーボタンの位置に応じて実行された補正動作の結果を対応する被写体グループ内の画質の変化として確認する動作を経て実行される。
なお、既に前回設定した補正量が存在する場合には、当該補正量に基づいて各被写体グループを画像補正したサンプル画像が表示される。
【００５０】
ユーザーは、表示内容を確認しながら５つの色に関する色調の確認や調整を実行する。
この設定動作は、設定の完了が確認されるまで（Ｓ２で肯定結果が得られるまで）実行される。なお、標準設定動作の終了に先立ってサンプル画面を印刷し、その印刷結果と画面上の表示とを比較すれば、画質を一段とユーザーの好みに近づけることができる。
【００５１】
この後、ＣＰＵ３１は、オプション設定による画質の調整をユーザーが望んでいるか否かを判定する（Ｓ３）。
オプション設定は、現在存在する任意性の高い調整モードを想定する。主に、スキルの高いユーザーを想定した調整モードである。
【００５２】
オプション設定が選択されていた場合（Ｓ３で肯定結果の場合）、図１４に示すオプション設定動作を実行する。
オプション設定動作では、特定の領域や個々の画像別に色調や画質を最適化することが目的になる。
【００５３】
このため、まず最初に、処理対象とする画像（オプション画像）の読み込み処理が実行され（Ｓ４１）、続いて階調補正の好みの設定処理（Ｓ４２）、色補正の好みの設定処理（Ｓ４３）が順に実行される。もっとも、設定処理の順番はユーザーが変更しても良いし、その一部だけを実行しても良い。
【００５４】
この設定動作も、設定の完了が確認されるまで（Ｓ５で肯定結果が得られるまで）実行される。
この後、ＣＰＵ３１は、設定後の補正値を保存するか否かを判定する（Ｓ６）。設定した補正量の保存が選択された場合、ＣＰＵ３１は、補正値をハードディスク７に保存する。
【００５５】
なお、補正値は、設定したユーザー名、設定日等の付加情報と共に保存することが望ましい。これらの付属情報と共に保存することにより、印刷システムを多人数で共用する場合にも、各自の好みに最適化された画質で画像を印刷することができる。
【００５６】
（Ａ−４）形態例の効果
以上のように、補正量の設定に使用するサンプル画面として、ユーザーの好みが最も現れる５色に対応する被写体グループを配置した画像を用いることにより、色補正実行後に印刷される画像の色合いをユーザーの好みに確実に近づけることができる。
【００５７】
また、サンプル画面２０１は、被写体グループと補正対象色（設定入力欄）の対応関係を太線で明示することにより、補正量の調整作業と補正結果の反映される領域との関係を明確にできる。
【００５８】
また、被写体グループと補正対象色（設定入力欄）との対応関係が明確であるので、補正量の調整に伴う画質の変化を簡単に確認できる。これにより、補正効果の確認が容易になり、何人にとっても補正効果の確認が容易なインターフェース画面を実現できる。
【００５９】
また、設定入力欄に表示される調整項目の表記は、スキルの低いユーザーにも分かり易いより直感的な表現である。加えて、補正量の調整は、各調整項目のスライダーボタンの位置を補正量に応じて中央位置から左右にスライドするだけで良い。このため、補正量を調整動作がより直感的になり、ユーザーの調整作業を簡易化できる。
【００６０】
また、プレビュー表示のオン・オフキーを設けたことにより、補正量の設定前と設定後の画像を対比的に確認することができる。
また、補正量の設定前後に実際に印刷された画像と表示画面に表示された画像とを比較しながら補正動作を継続できるので、より厳密な意味での補正量の設定が可能となる。
【００６１】
（Ｂ）他のシステムへの応用例
以下、画像補正で使用する補正量の設定をサンプル画面上で実現する仕組みを印刷システム以外のシステムに適用する場合について説明する。
【００６２】
（Ｂ−１）画像処理システム
図１５に、画像処理システム３０１への搭載例を示す。この形態例の場合、画像処理システム３０１は、設定画面表示制御部３０３、補正情報記憶部３０５、画像補正部３０７、操作部３０９及び表示デバイス３１１で構成される。なお、これらの処理機能は、コンピュータで実行されるソフトウェア処理を通じて実現される。
【００６３】
設定画面表示制御部３０３は、前述した補正量設定用のサンプル画面２０１の表示と当該サンプル画面２０１を用いた補正量の設定動作に伴う画面表示を制御する処理デバイスである。
【００６４】
補正情報記憶部３０５は、設定された補正量を記憶する記憶領域である。画像補正部３０７は、設定された補正量に基づいて画像データの色補正等を実行する処理デバイスである。操作部３０９は、補正機能等の指示入力に使用されるマウス、カーソルその他のポインティングデバイスである。
【００６５】
表示デバイス３１１は、ユーザーインターフェース画面その他のコンテンツ画像を表示する表示領域である。図１５の場合、表示デバイス３１１は、装置本体に対して外付けされている。もっとも、表示デバイス３１１は、装置本体内に一体的に搭載することもできる。
【００６６】
この種の画像処理システムには、例えばコンピュータ、携帯情報端末（携帯型のコンピュータ、携帯電話機、携帯型ゲーム機、電子書籍等）、画像記録装置、画像再生装置、画像編集機がある。
【００６７】
この種の画像処理システムに前述した設定画面表示制御機能を搭載することにより、表示画像、印刷画像又は記録画像の色調を簡単かつ確実にユーザーの好みに最適化することができる。
【００６８】
（Ｂ−２）撮像システム
図１６に、撮像システム４０１への搭載例を示す。この形態例の場合、撮像システム４０１は、設定画面表示制御部４０３、補正情報記憶部４０５、画像補正部４０７、操作部４０９、表示デバイス４１１及び撮像デバイス４１３で構成される。なお、これらの処理機能も、コンピュータで実行されるソフトウェア処理を通じて実現される。
【００６９】
基本的な構成は、図１５に示した画像処理システム３０１と同じである。ただし、撮像システム４０１は、撮像デバイス４１３を搭載する点で画像処理システム３０１と異なっている。なお、撮像デバイス４１３は、必ずしも装置本体に搭載する必要はなく、商品形態によっては、装置本体に対して着脱自在に装着される構成を採用しても良い。
【００７０】
このシステム構成の場合、設定した補正量に基づいて画像補整した後の画像データだけを出力する仕組みを採用することも可能であるし、設定した補正量を付属データとして画像補正前の画像データと共に出力する仕組みを採用することもできる。いずれの場合にも、撮像時に意図した画像の色再現性を該当画像の表示時や印刷時に反映させることができる。
【００７１】
この撮像システムには、例えばビデオカメラ、カメラ付き携帯情報端末（携帯型のコンピュータ、携帯電話機、携帯型ゲーム機、電子書籍等）、カメラ一体型映像記録装置がある。
【００７２】
（Ｂ−３）表示システム
図１７に、表示システム５０１への搭載例を示す。この形態例の場合、撮像システム５０１は、設定画面表示制御部５０３、補正情報記憶部５０５、画像補正部５０７、操作部５０９及び表示デバイス５１１で構成される。なお、これらの処理機能も、コンピュータで実行されるソフトウェア処理を通じて実現される。
【００７３】
基本的な構成は、図１５に示した画像処理システム３０１と同じである。このように、図１７において説明する表示システム５０１は、図１５と同じシステム構成を表示専用の機器に搭載した点で汎用的な画像処理システム３０１と異なっている。
【００７４】
なお、表示デバイス５１１は、例えばブラウン管式の表示デバイス、フラットパネル型の表示デバイス（例えば非自発光型の液晶表示パネルモジュール、自発光型のプラズマ表示パネルモジュール、有機ＥＬ表示パネルモジュール、ＦＥＤ表示パネルモジュール）その他のいずれでも良い。
【００７５】
このように表示システム５０１に前述した設定画面表示制御機能を搭載することにより、表示画像の色調を簡単かつ確実にユーザーの好みに最適化することができる。
【００７６】
（Ｂ−４）サーバー・クライアントシステム
図１８に、サーバー・クライアントシステム６０１への搭載例を示す。このシステムは、インターネットその他のネットワーク経由で接続されたサーバー装置６０３とクライアント端末６０５で構成する。このうち、サーバー装置６０３には、設定画面表示制御部６０３１を搭載する。
【００７７】
一方、クライアント端末６０５には、通信部６０５１、補正情報記憶部６０５３、画像補正部６０５５、操作部６０５７及び表示デバイス６０５９を搭載する。
すなわち、このサーバー・クライアントシステム６０１では、サーバー装置６０３側において前述した設定画面表示制御機能を実行し、クライアント端末６０５では操作画面の表示と設定した補正量の記憶動作とを実行する。
【００７８】
勿論、基本的な構成は、図１５に示した画像処理システム３０１と同じである。
なお、図１８においては、サービスの利用者であるユーザー側のクライアント端末６０５に設定した補正量を保存する。この構成により、クライアント端末６０５を通じて出力される画像や保存される画像の色調をユーザー個人の好みに自動的に補正することが可能になる。
【００７９】
もっとも、設定画面表示制御機能を通じて設定した補正量は、サーバー装置６０３側に保存し、必要に応じてダウンロードできる仕組みを採用しても良い。
このシステム構成を採用すれば、補正量を簡易に設定できる仕組みをユーザーに対する新たなサービスとして提供することが可能になる。
【００８０】
（Ｃ）他の形態例
（ａ）前述の形態例では、サンプル画面２０１上で、人の顔色、青色、緑色、白色（灰色）、黒の５色を設定する場合について説明した。
しかし、設定対象とする色調は、これらのうちの一部のみであっても良い。例えば、人の顔色（肌色）、青色、緑色、白色（灰色）の４色でも良い。また例えば、こられ５色のうちの任意の２色でも良い。
【００８１】
（ｂ）前述の形態例では、５種類が色調に対応する５つの被写体グループを配置したサンプル画面２０１が事前に用意されている場合について説明した。
しかし、サンプル画面２０１は、ユーザーが色調整を希望する色の組み合わせや画面の内容に応じて選択できるようにしても良い。
【００８２】
例えば、昼間用のサンプル画面と夜景用のサンプル画面の２種類を用意し、出力画像や撮像画像がそのいずれであるかに基づいてサンプル画面の種類を選択できるようにしても良い。このように、ユーザーの使用目的に応じてサンプル画面を使い分けることができれば、出力画像や撮像画像の色調をユーザーの好みにより一層近づけることができる。
【００８３】
（ｃ）前述の形態例では、補正色別に確定した補正量だけを補正情報記憶部に保存する場合について説明した。
しかし、ユーザーの好みとして補正量を調整したサンプル画面（サンプル画像）についても、次回の補正時に使用する基準画像として補正情報記憶部に保存しても良い。
【００８４】
（ｄ）前述の形態例においては、事前に用意されたサンプル画面（補正対象色と対応する被写体グループとの対応関係が設定された画面）を用いて補正色別の補正量を調整する場合について説明した。
しかし、サンプル画面は、ユーザーが任意に選択した被写体画像についても設定することもできる。
【００８５】
ただし、この場合には、被写体グループの設定と設定された被写体グループに対する設定入力欄の関連付けが事前に必要になる。
この設定方法には、既存の画像認識技術を用いる方法とユーザー自身が手入力する方法が考えられる。
【００８６】
例えば画像領域としての「人の顔」は、既存の画像認識技術の適用により、高い精度で自動的に抽出することができる。また、他の被写体グループについても、事前に設定した特徴量（色分布その他）との照合により、多くの被写体グループの自動認識が可能である。
【００８７】
もっとも、自動認識技術を利用する場合には、１００％の信頼性は保証できない。このため、自動認識により切り出された領域をユーザー自身が微調整したり、自動認識と連動して実行された被写体グループと設定入力欄（色）との関連づけを修正する仕組みを追加的に搭載する。
なお、被写体グループは、補正効果の確認に用いることができれば良い。従って、厳密な意味で領域での外縁の切り出しは必要はない。
【００８８】
また、図１９に示すように、ユーザー自身が画面上で被写体グループの領域を指定しても良い。図１９は、いわゆる描画ソフトと同じ手法で、サンプル画面上に「人の顔」に対応する被写体グループを設定入力する様子を表している。このように被写体グループを手入力で指定する場合には、指定した被写体グループに関連付ける設定入力欄（色）との関連付けも登録する処理工程を用意する。
【００８９】
（ｅ）前述の形態例では、補正色別に用意した設定入力欄と被写体グループとを関連付けたサンプル画面上で、各補正色に対応する補正量の設定を可能とするユーザーインターフェース画面の表示制御機能をソフトウェアとして実現する場合について説明した。
しかし、同等の機能の全部又は一部をハードウェアとして実現することもできる。
【００９０】
（ｆ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００９１】
【図１】印刷システムの概略的なハードウェア構成例を示す図である。
【図２】印刷システムの詳細構成例を示す図である。
【図３】設定画面表示制御機能を実現する機能構成例を示す図である。
【図４】被写体グループを設定したサンプル画面例を示す図である。
【図５】データ構造例を示す図である。
【図６】被写体グループと設定入力欄の対応関係の表示例を示す図である。
【図７】被写体グループと設定入力欄の対応関係の表示例を示す図である。
【図８】被写体グループと設定入力欄の対応関係の表示例を示す図である。
【図９】被写体グループと設定入力欄の対応関係の表示例を示す図である。
【図１０】被写体グループと設定入力欄の対応関係の表示例を示す図である。
【図１１】サンプル画面の表示例を示す図である。
【図１２】画像の色調を好みの色調に補正するための補正量の設定手順例を示す図である。
【図１３】補正量の標準設定手順例を示す図である。
【図１４】補正量のオプション設定手順例を示す図である。。
【図１５】応用例としての画像処理システムの機能構成例を示す図である。
【図１６】応用例としての撮像システムの機能構成例を示す図である。
【図１７】応用例としての表示システムの機能構成例を示す図である。
【図１８】応用例としてのサーバー・クライアントシステムの機能構成例を示す図である。
【図１９】手入力による被写体グループの設定入力を説明する図である。
【符号の説明】
【００９２】
３        画像処理モジュール
１０１    設定画面表示制御機能
１０３    サンプル画面表示制御機能
１０５    設定入力欄表示制御機能
１０７    対応関係明示機能
２０１    サンプル画面
２０３    人物（肌色）
２０５    空（青色）
２０７    海（青色）
２０９    木の葉（緑色）
２１１    芝生（緑色）
２１３    雲（白色）
２１５    シャツ（白色）
２１７    影（黒色）
【図１】
2007306259.tif 000003
【図２】
2007306259.tif 000004
【図３】
2007306259.tif 000005
【図４】
2007306259.tif 000006
【図５】
2007306259.tif 000007
【図６】
2007306259.tif 000008
【図７】
2007306259.tif 000009
【図８】
2007306259.tif 000010
【図９】
2007306259.tif 000011
【図１０】
2007306259.tif 000012
【図１１】
2007306259.tif 000013
【図１２】
2007306259.tif 000014
【図１３】
2007306259.tif 000015
【図１４】
2007306259.tif 000016
【図１５】
2007306259.tif 000017
【図１６】
2007306259.tif 000018
【図１７】
2007306259.tif 000019
【図１８】
2007306259.tif 000020
【図１９】
2007306259.tif 000021